(57)【要約】【課題】歯科診療装置の使用状況を管理する歯科診療管理装置を提供する。【解決手段】歯科診療管理装置１は、予め定められた作業スケジュールに沿って動作する歯科診療装置３を管理し、患者の診療に関する診療内容情報４と予約患者の診療時間情報５とを含む診療情報を記憶する診療情報記憶部２から前記診療情報を取得する診療情報取得部１０と、診療情報記憶部２から取得された診療情報を用いて、所定の診療に伴って歯科診療装置３が行う作業スケジュールの情報である装置行動情報を作成する装置行動情報作成部２１と、作成された装置行動情報を歯科診療装置３に出力する装置行動情報出力部２２と、を備える。【選択図】図１
2020086777.tif 000002
【特許請求の範囲】
【請求項１】
予め定められた作業スケジュールに沿って動作する歯科診療装置を管理する歯科診療管理装置であって、
患者の診療に関する診療内容情報と予約患者の診療時間情報とを含む診療情報を記憶する診療情報記憶部から前記診療情報を取得する診療情報取得部と、
前記診療情報記憶部から取得された診療情報を用いて、所定の診療に伴って前記歯科診療装置が行う作業スケジュールの情報である装置行動情報を作成する装置行動情報作成部と、
前記作成された装置行動情報を前記歯科診療装置に出力する装置行動情報出力部と、を備える歯科診療管理装置。
【請求項２】
前記装置行動情報作成部は、所定期間内において前記歯科診療装置が行うべき複数の作業が重複する時間帯があるか否かを判別し、複数の作業が重複する時間帯がある場合、優先順位が予め定められた複数の歯科診療装置に複数の作業をそれぞれ割り当て、前記優先順位に基づいて作業が割り当てられた歯科診療装置毎に前記装置行動情報をそれぞれ作成し、
前記装置行動情報出力部は、前記作業が割り当てられた歯科診療装置に対して、前記作成された装置行動情報をそれぞれ出力する、請求項１に記載の歯科診療管理装置。
【請求項３】
前記装置行動情報作成部は、所定期間内において複数の歯科診療装置の稼働率が平均化するように、前記歯科診療装置が行うべき複数の作業を複数の歯科診療装置に割り当て、前記作業が割り当てられた歯科診療装置毎に前記装置行動情報をそれぞれ作成し、
前記装置行動情報出力部は、前記作業が割り当てられた歯科診療装置に対して、前記作成された装置行動情報をそれぞれ出力する、請求項１に記載の歯科診療管理装置。
【請求項４】
前記診療情報取得部は、入力された日時情報で規定される所定期間内の診療情報を前記診療情報記憶部から予約患者の診療時間情報に基づいて取得し、
前記装置行動情報作成部は、前記入力された日時情報で規定される所定期間内分の装置行動情報を作成する、請求項１から請求項３のいずれか一項に記載の歯科診療管理装置。
【請求項５】
前記歯科診療装置の現在状態を示す装置状態情報を取得する装置状態情報取得部と、
前記装置状態情報から当該歯科診療装置が新規の診療に伴う作業を受け付けて動作できる状態にあるか否かを判定する装置状態情報判定部と、
をさらに備え、
前記診療情報取得部は、入力された新規の診療情報を前記診療情報記憶部から取得し、
前記装置行動情報作成部は、前記新規の診療に伴う作業を受け付けて動作できる状態にある歯科診療装置に対して前記装置行動情報を作成する、請求項１から請求項３のいずれか一項に記載の歯科診療管理装置。
【請求項６】
前記装置行動情報に沿って作業をした作業履歴を内部に記録可能な前記歯科診療装置から、所定の診療に伴う作業に実際に要した作業時間の情報を含む装置実作業情報を取得する装置実作業情報取得部と、
前記装置実作業情報を記憶する装置実作業情報記憶部と、を備え、
前記診療情報取得部は、前記診療情報記憶部から、前記装置実作業情報によって更新された診療所要時間を、前記診療時間情報として取得し、
前記装置行動情報作成部は、前記装置実作業情報により更新された診療所要時間を用いて前記装置行動情報を作成する、請求項１から請求項５のいずれか一項に記載の歯科診療管理装置。
【請求項７】
所定の診療についての作業の度にその時点までに前記歯科診療装置が作業した時間を累計した累計作業時間を作成し、前記累計作業時間をその時点までの作業回数で平均化した平均作業時間を前記装置実作業情報として作成する装置実作業情報作成部をさらに備え、
前記診療情報取得部は、前記診療情報記憶部から、前記所定の診療についての前記平均作業時間によって更新された診療所要時間を、前記所定の診療についての前記診療時間情報として取得し、
前記装置行動情報作成部は、前記所定の診療に伴う作業を行う歯科診療装置に対して、前記平均作業時間により更新された診療所要時間を用いて前記装置行動情報を作成する、請求項６に記載の歯科診療管理装置。
【請求項８】
前記装置実作業情報作成部は、術者別に、前記装置実作業情報を作成し、
前記診療情報取得部は、診療所要時間を術者別に記憶した前記診療情報記憶部から、前記装置実作業情報によって更新された術者別の診療所要時間を、前記診療時間情報として取得し、
前記装置行動情報作成部は、前記装置実作業情報により更新された術者別の診療所要時間を用いて前記装置行動情報を作成する、請求項７に記載の歯科診療管理装置。
【請求項９】
前記歯科診療装置は移動手段及びバッテリを有し、前記移動手段は前記バッテリにより駆動する請求項１から請求項８のいずれか一項に記載の歯科診療管理装置。
【発明の詳細な説明】
【技術分野】
【０００１】
本発明は、歯科診療管理装置に関する。
【背景技術】
【０００２】
従来、病院や診療所などの医療機関において、患者の診療日時の予約処理を精度よく行う技術が知られている（例えば特許文献１参照）。特許文献１に記載された診療予約処理装置は、予約患者に対して行われる診療内容を取得し、その診療内容と記憶された診療情報から、診療の所要時間を予測し、予約可能時間帯を提示する。
また、術者が訪問先での移動診療時に使用する歯科診療モジュールを備えた装着型の歯科診療装置が知られている。
【先行技術文献】
【特許文献】
【０００３】
【特許文献１】特開２００４−３０２９８号公報
【発明の概要】
【発明が解決しようとする課題】
【０００４】
例えば歯科診療に対して、歯科診療モジュールを運搬するロボットや装着型の歯科診療装置（以下、単に歯科診療装置という）を用いる場合、歯科診療装置を効率よく利用できる仕組みが望まれるが、従来、そのような仕組みは知られていなかった。
歯科診療装置を必要なときに利用する手法としては、歯科診療装置の予約を採用することが想定される。この場合、歯科医師やアシスタント等の患者予約を担当するオペレータが、予約患者名、日時、術者名、治療内容等の情報を既存の患者予約システムに入力する際に、必要な歯科診療装置も予約することになる。しかしながら、例えば患者予約キャンセル、術者の変更、治療方針の変更等に伴って歯科診療装置の利用状況も刻々と変化する。よって、何ら対策を行うことなく歯科診療装置の予約を採用すると、情報入力を行うオペレータの負担になってしまう。
【０００５】
本発明は、前記した実情に鑑みてなされたものであり、歯科診療装置の使用状況を管理する歯科診療管理装置を提供することを課題とする。
【課題を解決するための手段】
【０００６】
本発明に係る歯科診療管理装置は、予め定められた作業スケジュールに沿って動作する歯科診療装置を管理する歯科診療管理装置であって、患者の診療に関する診療内容情報と予約患者の診療時間情報とを含む診療情報を記憶する診療情報記憶部から前記診療情報を取得する診療情報取得部と、前記診療情報記憶部から取得された診療情報を用いて、所定の診療に伴って前記歯科診療装置が行う作業スケジュールの情報である装置行動情報を作成する装置行動情報作成部と、前記作成された装置行動情報を前記歯科診療装置に出力する装置行動情報出力部と、を備えている。
【発明の効果】
【０００７】
本発明は、歯科診療装置の使用状況を管理する歯科診療管理装置を提供することができる。
【図面の簡単な説明】
【０００８】
【図１】本発明の第１実施形態に係る歯科診療管理装置を含む歯科診療システムを示す模式図である。
【図２】歯科診療装置の外観を示す斜視図であり、（ａ）はインスツルメントハンガーの収納状態、（ｂ）はインスツルメントハンガーの外部固定状態をそれぞれ示している。
【図３】本発明の第１実施形態に係る歯科診療管理装置による処理の流れを示すフローチャートであり、（ａ）は診療開始前の処理、（ｂ）は予約割込等の処理、（ｃ）は診療終了後の処理をそれぞれ示している。
【図４】本発明の第２実施形態に係る歯科診療管理装置を含む歯科診療システムを示す模式図である。
【図５】他の歯科診療装置の構成を示すブロック図である。
【図６】本発明の第２実施形態に係る歯科診療管理装置による処理の流れを示すフローチャートである。
【図７】本発明の第２実施形態に係る歯科診療管理装置が複数候補から歯科診療装置を選択する模式図である。
【発明を実施するための形態】
【０００９】
以下、図面を参照して本発明の歯科診療管理装置を実施するための形態（以下「実施形態」という）について詳細に説明する。
（第１実施形態）
図１は、本発明の第１実施形態に係る歯科診療管理装置を含む歯科診療システムを示す模式図である。歯科診療システム１００は、歯科診療管理装置１と、診療情報記憶部２と、歯科診療装置３と、を備えている。
【００１０】
［歯科診療装置］
歯科診療装置３は、予め定められた作業スケジュールに沿って動作する装置である。歯科診療装置３は、診療室に固定された一般的な歯科治療ユニットとは異なり、商用電源や水道管と繋ぐケーブルやホースを外しても動作できるように構成されている。歯科診療装置３は、インスツルメントと、インスツルメントにエネルギや水を供給する駆動源とを含む歯科診療モジュールを備えている。
【００１１】
インスツルメントは、歯科治療において、診断、治療または歯の清掃のために用いる器具である。インスツルメントを取り替えて用いたり、インスツルメントの先端のハンドピースを取り替えて用いたりすることがある。例えば歯科用タービンハンドピースのうち、エアタービンハンドピースは、注水されながら圧縮空気の力によって切削工具を高速回転させて歯を研削するものである。また、マイクロモーターハンドピースは、注水されながら電気モータの力によって切削工具を高速回転させて歯を研削するものである。インスツルメントは、例えばスケーラであってもよい。
【００１２】
歯科診療装置３の一例について図２を参照して説明する。歯科診療装置３は、歯科診療モジュールとして、インスツルメント３７と、図示しないバッテリや水タンク等を備えている。また、歯科診療装置３は、インスツルメント３７、および、インスツルメント３７を掛け留めするインスツルメントハンガー３４を収納可能なキャビネット３１を備えている。
【００１３】
キャビネット３１は、図２（ａ）および図２（ｂ）に示すように、例えば円筒形で上面および下面が密閉されている。このキャビネット３１は、縦割りにした前部がドア３２として形成されている。ドア３２は縦方向の一辺側を中心にして前方に回動自在な開き戸式に構成されている。
【００１４】
また、歯科診療装置３は、移動手段３３を備えており、移動手段３３の上にキャビネット３１が配置されている。移動手段３３は、キャビネット３１やその収納物を搭載して例えば歯科医院内を移動できる手段である。移動手段３３は、移動手段用のバッテリを内蔵しており、このバッテリにより駆動する。つまり、本実施形態では、歯科診療装置３は、自走式であることとした。移動手段３３において床面に当接する部材は、図示したキャスター以外に、車軸に連結された車輪やキャタピラでもよい。移動手段３３は、公知の自動搬送車や搬送ロボットでもよい。自動で移動する場合、例えば、予め定められたスタート−ゴール間の経路上を移動する移動制御を行うことができる。あるいは、例えばカメラや画像処理を用いて外部環境を認識しながら、登録されたプログラムに基づいて障害物を回避しながら移動する移動制御を行っても構わない。
【００１５】
インスツルメントハンガー３４は、ドア３２の内面に沿って形成された円弧状のアーム３５を介してピン３６を中心に回動自在にドア３２の内面に設けられている。歯科診療装置３の移動時などの非使用時には、インスツルメント３７をキャビネット３１内に収納してドア３２を閉める。一方、使用時には、ドア３２を開き、アーム３５を回動してインスツルメントハンガー３４をキャビネット３１の外部に固定する。インスツルメントハンガー３４からインスツルメント３７を取り出して治療を開始することができる。
なお、本実施形態において、歯科診療装置３が備えるインスツルメント３７等の歯科モジュール、および、歯科診療装置３自体の外観や構造は、図２（ａ）および図２（ｂ）に例示したものに限定されるものではない。
【００１６】
図１に戻って、歯科診療システム１００の構成について説明を続ける。
［診療情報記憶部］
診療情報記憶部２は、例えば、患者予約システムとして機能するプログラムがインストールされているパーソナルコンピュータで構成される。また、患者情報や処方内容が記載されるレセプト（診療報酬明細書）を作成するコンピュータであるレセプトコンピュータに、患者予約システムとして機能するプログラムをインストールして、診療情報記憶部２として用いることもできる。
ここでは、一例として、歯科診療管理装置１と診療情報記憶部２は、同じ筺体のパーソナルコンピュータ内にあることとする。なお、歯科診療管理装置１と診療情報記憶部２はそれぞれ別体のパーソナルコンピュータに備えられていてもよい。
【００１７】
診療情報記憶部２は、診療内容情報４と、診療時間情報５と、を含む診療情報を記憶するものである。例えばアシスタント等のオペレータは、予約受付時や、患者が来院したときなどの所定のタイミングで、患者の診療情報を診療情報記憶部２に入力する。なお、このとき、オペレータは、歯科診療装置３の情報については入力しない。
【００１８】
診療内容情報４は、患者に対して診療日当日に行われる診療に関する情報である。診療内容情報４は、例えば治療種別の情報として、う蝕治療、根管治療、カウンセリング等を含んでいる。この診療内容情報４は、例えば、日時、患者、術者等の情報と関連付けられている。
【００１９】
診療時間情報５は、予約患者の予約時間に関する情報である。診療時間情報５は、例えば開始予定時間や終了予定時間等を含んでいる。この診療時間情報５は、例えば、日時、患者、術者等の情報と関連付けられている。
【００２０】
［歯科診療管理装置］
歯科診療管理装置１は、予め定められた作業スケジュールに沿って動作する歯科診療装置３を管理する装置である。
歯科診療管理装置１は、診療情報取得部１０と、装置情報部２０と、を備えている。
診療情報取得部１０は、診療情報記憶部２から、診療情報を取得する。本実施形態では、診療情報取得部１０は、入力された日時情報で規定される所定期間内の診療情報を診療情報記憶部２から予約患者の診療時間情報５に基づいて取得する。診療情報取得部１０は、取得した診療情報を装置情報部２０に受け渡す。ここで、所定期間とは、例えば１日である。なお、処理頻度を変更すれば、１日に限らず、半日や１週間など、適宜変更することができる。
【００２１】
診療情報取得部１０は、診療情報記憶部２との間で情報をやり取りするために、診療内容情報取得部１１と、診療時間情報取得部１２と、を備えている。
診療内容情報取得部１１は、診療開始前の処理のためにオペレータにより診療情報記憶部２に入力された日時情報で規定される所定期間内の予約患者の診療内容情報４を診療情報記憶部２から取得する。
ここで、診療開始前の処理とは、診療情報記憶部２にデータを入力済みの予約患者の診療を開始する前に行う処理を意味する。診療開始前の処理は、例えば、診療日の一日分の予約患者についての診療情報を用いて当日の朝に行う歯科診療管理装置の処理である。すなわち、当日の朝、歯科医院での患者の受付開始時間よりも前にスタッフの打ち合わせ等の準備時間に歯科診療管理装置１が行う処理である。
【００２２】
また、診療内容情報取得部１１は、予約割込等の処理のためにオペレータによって診療情報記憶部２に入力された診療内容情報（以下、割込診療内容情報という）を診療情報記憶部２から取得する。割込診療内容情報は、予約割込等の処理のために入力された診療内容情報である。
ここで、予約割込等の処理とは、予約割込があった場合の処理、予約割込以外に装置が終了時間になっても作業が終了していない場合の処理、患者の予約がキャンセルになった場合の処理等を意味する。このうち、予約割込があった場合の処理とは、診療開始前の処理を行った後に行う処理を意味する。例えば、診療日において患者の受付開始時間以降、予約のないまま患者が来院したり、初めての患者が来院したりした場合に、その患者のデータが診療情報記憶部２に入力された際の処理である。また、電話等により依頼された診療希望日について、診療開始前の処理が既に行われている場合に、患者の依頼を受け付けて、その患者のデータが診療情報記憶部２に入力された際の処理である。なお、診療開始前の処理が既に行われた後に、診療情報記憶部２に入力済みの歯科医師やアシスタントに関するデータに変更があった場合に行われる処理も予約割込等の処理とすることができる。
診療時間情報取得部１２は、診療開始前の処理において、診療情報記憶部２から、予約患者の診療内容情報４に対応する診療時間情報５を取得する。
診療時間情報取得部１２は、予約割込等の処理において、診療情報記憶部２から、割込診療内容情報に対応する診療時間情報（以下、割込診療時間情報という）を取得する。
【００２３】
装置情報部２０は、歯科診療装置３との間で情報をやり取りするために、装置行動情報作成部２１と、装置行動情報出力部２２と、を備えている。
装置行動情報作成部２１は、診療情報記憶部２から取得された診療情報を用いて、所定の診療に伴って歯科診療装置３が行う作業スケジュールの情報である装置行動情報を作成する。この装置行動情報は、診療内容情報４および診療時間情報５から決定される情報であり、歯科診療装置３がどの診療の作業を行うかのスケジュール情報である。
【００２４】
装置行動情報は、予約患者数、歯科診療装置３の台数、歯科医師（術者）数、診療に伴って歯科診療装置３の作業が必要かどうか等の各種条件によって、適宜決定される。
装置行動情報作成部２１は、例えば上記の各種条件から予め作成されたルールに沿って装置行動情報を作成する。
例えば、診療内容情報４が、う蝕治療を示す場合、歯科診療装置３は作業を行う。この場合、歯科診療装置３が行う作業は、必要なインスツルメントを術者に届ける運搬作業、待機作業、回収作業等の一連の作業である。この場合、装置行動情報には、運搬作業開始時刻や、う蝕治療の所要時間情報等が含まれる。
また、例えば、診療内容情報４がカウンセリングを示す場合、インスツルメントは不要なので、歯科診療装置３は、運搬作業を行わない。
また、例えば、診療時間情報５において、歯科診療装置３の作業の終了予定時間が、当該歯科診療装置３が作業する他の診療の開始予定時間を過ぎると分かる場合、当該歯科診療装置３は、他の診療に伴う作業を行わない。
【００２５】
装置行動情報作成部２１は、入力された日時情報で規定される所定期間内分の装置行動情報を作成する。装置行動情報作成部２１は、診療開始前の処理において、例えば、診療日の一日分の予約患者についての診療情報を用いて当日の朝に装置行動情報を作成する。なお、診療日の予約が１週前に既に決定していれば、当日を待たずに、前もって、装置行動情報を作成することもできる。
また、装置行動情報作成部２１は、予約割込等の処理がある場合、割込診療内容情報と割込診療時間情報を用いて装置行動情報を再度作成する。
【００２６】
装置行動情報出力部２２は、作成された装置行動情報を歯科診療装置３に出力する。この装置行動情報出力部２２は、診療開始前の処理において、装置行動情報を出力する。また、装置行動情報出力部２２は、予約割込等の処理がある場合、装置行動情報を再度出力する。装置行動情報出力部２２は、無線によって歯科診療装置３に通信可能に接続される。なお、距離無線通信規格には、例えばWi-Fi（登録商標）、Bluetooth（登録商標）、ZigBee（登録商標）等の無線ＬＡＮ（Local Area Network）を含む。
【００２７】
歯科診療管理装置１によれば、既存の患者予約システム等に記憶された診療情報から作成した装置行動情報を歯科診療装置３に割り振ることができる。また、歯科診療管理装置１は、歯科診療装置３が自走式であっても、各歯科診療装置３が自らの装置行動情報に基づいて作業をすることで、歯科診療装置３同士の作業の重複化を抑制し、作業の効率化を図ることができる。
【００２８】
歯科診療システム１００において、複数の歯科診療装置３がある場合、装置行動情報作成部２１は、例えば、複数の歯科診療装置３の１つに優先的に作業を割り当てることができる。この場合、装置行動情報作成部２１は、例えば所定の診療日等の所定期間内において歯科診療装置３が行うべき複数の作業が重複する時間帯があるか否かを判別する。そして、複数の作業が重複する時間帯がある場合、優先順位が予め定められた複数の歯科診療装置３に複数の作業をそれぞれ割り当て、優先順位に基づいて作業が割り当てられた歯科診療装置３毎に装置行動情報をそれぞれ作成する。また、装置行動情報出力部２２は、作業が割り当てられた歯科診療装置３に対して、作成された装置行動情報をそれぞれ出力する。これにより、歯科診療装置３の実動台数を低減する観点における効率化を図ることができる。
【００２９】
また、歯科診療システム１００において、複数の歯科診療装置３がある場合、装置行動情報作成部２１は、例えば、複数の歯科診療装置３へ平均的に作業を割り当てることができる。この場合、装置行動情報作成部２１は、例えば１日、１週間、１カ月、１年等の所定期間内において複数の歯科診療装置３の稼働率が平均化するように、歯科診療装置３が行うべき複数の作業を複数の歯科診療装置３に割り当てる。そして、作業が割り当てられた歯科診療装置３毎に装置行動情報をそれぞれ作成する。また、装置行動情報出力部２２は、作業が割り当てられた歯科診療装置３に対して、作成された装置行動情報をそれぞれ出力する。これにより、各歯科診療装置３の寿命を平均化していつでも多くの装置を利用できる観点における効率化を図ることができる。
【００３０】
本実施形態では、歯科診療システム１００において、歯科診療装置３が、装置行動情報に沿って作業をした作業履歴を内部に記録可能であることとする。そして、この場合、図１に示すように、装置情報部２０は、装置実作業情報取得部２３と、装置実作業情報記憶部２５と、装置実作業情報出力部２６と、を備えている。
装置実作業情報取得部２３は、装置行動情報に沿って作業をした作業履歴を内部に記録可能な歯科診療装置３から装置実作業情報を取得する。装置実作業情報取得部２３は、無線によって歯科診療装置３に通信可能に接続される。ここで、装置実作業情報は、歯科診療装置３が行った作業に関する情報である。この装置実作業情報は、例えば、所定の診療に伴って歯科診療装置３の作業した時間の情報を含む。
装置実作業情報記憶部２５は、ＲＡＭ（Random Access Memory）やＲＯＭ（Read Only Memory）からなり、装置実作業情報等の必要な情報を記憶するものである。なお、装置実作業情報記憶部２５には、診療情報取得部１０や装置情報部２０の各部が動作するためのプログラムがインストールされている。
装置実作業情報出力部２６は、装置実作業情報取得部２３が取得した装置実作業情報を装置実作業情報記憶部２５に出力する。なお、装置実作業情報出力部２６は、装置実作業情報を歯科診療管理装置１の外部に出力するようにしてもよい。
また、この場合、診療情報取得部１０は、診療情報記憶部２から、装置実作業情報によって更新された診療所要時間を、診療時間情報５として取得することができる。そして、装置行動情報作成部２１は、装置実作業情報により更新された診療所要時間を用いて装置行動情報を作成することができる。
これにより、歯科診療装置３が実際に作業をした結果を示す装置実作業情報をフィードバックして、歯科診療管理装置１による次回の装置行動情報の作成に反映させることができる。
【００３１】
図１に示すように、装置情報部２０は、さらに、装置実作業情報作成部２４を備えることが好ましい。装置実作業情報作成部２４は、所定の診療についての作業の度にその時点までに歯科診療装置３が作業した時間を累計した累計作業時間を作成し、累計作業時間をその時点までの作業回数で平均化した平均作業時間を装置実作業情報として作成する。この場合、診療情報取得部１０は、診療情報記憶部２から、所定の診療についての平均作業時間によって更新された診療所要時間を、所定の診療についての診療時間情報５として取得する。そして、装置行動情報作成部２１は、所定の診療に伴う作業を行う歯科診療装置３に対して、平均作業時間により更新された診療所要時間を用いて装置行動情報を作成する。
これにより、歯科診療装置３の装置実作業情報を繰り返し歯科診療管理装置１にフィードバックして作成した装置行動情報において、作業の所要時間の精度を高めることができる。
【００３２】
前記装置実作業情報作成部２４は、術者別に、装置実作業情報を作成することが好ましい。この場合、診療情報取得部１０は、診療所要時間を術者別に記憶した診療情報記憶部２から、装置実作業情報によって更新された術者別の診療所要時間を、診療時間情報５として取得する。そして、装置行動情報作成部２１は、装置実作業情報により更新された術者別の診療所要時間を用いて装置行動情報を作成する。
これにより、術者の違いによる診療時間情報５の変動ムラや、術者個人における診療毎の所要時間の変動ムラを低減することができる。したがって、歯科診療管理装置１にフィードバックして作成した装置行動情報において、作業の所要時間の精度を高めることができる。歯科診療管理装置１によれば、診療内容および術者の情報から、診療における歯科診療装置３の作業の所要時間を予測することができる。したがって、歯科診療管理装置１は、例えば歯科診療装置３が備えるインスツルメント３７の交換時間やエネルギの補給時間等を考慮することで、効率的な歯科診療装置３の行動情報を作成することもできる。
【００３３】
なお、診療情報取得部１０および装置情報部２０は、ＣＰＵがＲＯＭ等に格納された所定のプログラムをＲＡＭに展開して実行することによりその機能が実現されるものである。したがって、診療情報取得部１０および装置情報部２０は、一般的なコンピュータに、前記した機能を実行させるプログラムを実行することで実現することもできる。このプログラムは、通信回線を介して提供することも可能であるし、ＣＤ−ＲＯＭ等の記録媒体に書き込んで配布することも可能である。
【００３４】
次に、図３を参照して、本発明の第１実施形態に係る歯科診療管理装置による処理の流れについて説明する。図３（ａ）に示すように、診療開始前には、歯科診療管理装置１は、診療内容情報取得部１１によって、診療情報記憶部２から、オペレータによって入力された診療内容情報４を取得すると共に、診療時間情報取得部１２によって、診療情報記憶部２から、入力された診療時間情報５を取得する（ステップＳ１）。つまり、歯科診療管理装置１は、この時点で診療情報記憶部２に入力済みの診療情報を取得する。そして、歯科診療管理装置１は、装置行動情報作成部２１によって、診療情報から装置行動情報を作成する（ステップＳ２）。そして、歯科診療管理装置１は、装置行動情報出力部２２によって、歯科診療装置３に対して装置行動情報を出力する（ステップＳ３）。
【００３５】
図３（ｂ）に示すように、予約割込時等の際には、歯科診療管理装置１は、診療内容情報取得部１１によって、診療情報記憶部２から、入力された割込診療内容情報を取得すると共に、診療時間情報取得部１２によって、診療情報記憶部２から、入力された割込診療時間情報を取得する（ステップＳ１１）。そして、歯科診療管理装置１は、装置行動情報作成部２１によって、装置行動情報を再作成する（ステップＳ１２）。そして、歯科診療管理装置１は、装置行動情報出力部２２によって、歯科診療装置３に対して装置行動情報を再出力する（ステップＳ１３）。
【００３６】
図３（ｃ）に示すように、診療終了後には、歯科診療管理装置１は、装置実作業情報取得部２３によって、歯科診療装置３から装置実作業情報を取得する（ステップＳ２１）。そして、歯科診療管理装置１は、装置実作業情報出力部２６によって、装置実作業情報を装置実作業情報記憶部２５へ出力する（ステップＳ２２）。ここで、診療終了後の処理とは、歯科診療装置３を用いた診療を終了した後に行う処理を意味する。診療終了後の処理は、例えば、歯科診療装置３を用いた患者の診療を終える度に行う歯科診療管理装置の処理である。また、例えば診療日の全患者の診療を終了した後に図３（ｃ）に示す処理を行うこともできる。
【００３７】
さらに、歯科診療装置３を用いた患者の診療を終える度、あるいは、例えば診療日の全患者の診療を終了した後に、例えば装置実作業情報作成部２４による処理を行ってもよい。すなわち、装置実作業情報作成部２４は、所定の診療についての作業の度にその時点までに歯科診療装置３が作業した時間を累計した累計作業時間を作成し、累計作業時間をその時点までの作業回数で平均化した平均作業時間を装置実作業情報として作成することもできる。
以上説明したように、第１実施形態の歯科診療管理装置１によれば、情報入力を行うオペレータに負担を与えることなく歯科診療装置３の使用状況を適切に管理することができる。
【００３８】
（第２実施形態）
第１実施形態では、歯科診療管理装置１は、１日分の予約患者の診療情報をもとに、歯科診療装置３の装置行動情報を予め作成することとしたが、新規に受け付けた診療を歯科診療装置３に随時分担するようにしてもよい。第２実施形態は、予約割込等の際に新規に受け付けた診療を歯科診療装置３に随時分担する形態である。以下、第２実施形態に係る歯科診療管理装置を含む歯科診療システムについて図４および図５を参照（適宜図１参照）して説明する。なお、第１実施形態と同じ構成には同じ符号を付して説明を省略する。
歯科診療システム１００Ｂは、歯科診療管理装置１Ｂと、診療情報記憶部２と、歯科診療装置３Ｂと、を備えている。
【００３９】
［歯科診療装置］
歯科診療装置３Ｂは、図５に示すように、歯科診療装置基板３８と、バッテリ３９と、を備えている。歯科診療装置３Ｂは、図２（ａ）および図２（ｂ）に示した歯科診療装置３と同様に、インスツルメント３７等の歯科診療モジュール、移動手段３３、キャビネット３１等を備えている。図５ではこれらの構成の図示を省略しているが、以下では、歯科診療装置３Ｂもこれらの構成を備えているものとして説明する。なお、歯科診療装置基板３８とバッテリ３９とは、例えばキャビネット３１の所定箇所に設置されている。
【００４０】
バッテリ３９は、例えばインスツルメント３７等の歯科診療モジュールを駆動させる電源であり、充電可能に構成されている。なお、歯科診療装置３Ｂにおいて、バッテリ３９と、移動手段３３が内蔵する移動手段用のバッテリと、を共用化することも可能である。このように共用化した場合、移動手段３３は、バッテリ３９により駆動する。つまり、バッテリ３９は、歯科診療モジュールを駆動させるだけでなく、移動手段３３も駆動させることができる。ただし、ここでは、説明を簡便にするために、歯科診療装置３Ｂは、移動手段用のバッテリとは別体のバッテリ３９を備えているものとして説明する。
【００４１】
歯科診療装置基板３８は、装置状態情報を取得して歯科診療管理装置１Ｂに送信する処理を行うものである。装置状態情報は、歯科診療装置３Ｂの現在の状態に関する情報である。装置状態情報は、例えば、当該歯科診療装置３Ｂが現在占有されているかという情報、現在の作業の終了予定時刻情報、歯科診療装置３Ｂ内にあるエネルギの現在の残量情報といった装置状態の観測情報等である。なお、歯科診療装置３Ｂが現在占有されているとは、装置が使用状態にある場合と、使用されてはいないが使用を前提に装置が確保されている場合と、を含んでいる。
【００４２】
以下では、歯科診療装置３Ｂ内にあって歯科診療モジュールを駆動させるためのエアタンクやバッテリ、注液装置などの残量等に関する情報を、診療エネルギ情報とも呼ぶ。また、診療エネルギ情報は、一例として、バッテリ３９についてのバッテリ残量情報であるものとして説明する。なお、歯科診療装置３Ｂが、所定の診療を行うにあたり、その所定の診療に伴う作業のために必要とするエネルギに関する情報を、以下では駆動エネルギ情報とも呼ぶ。
【００４３】
歯科診療装置基板３８は、図５に示すように、装置状態観測部５１と、記憶部５２と、通信部５３と、装置状態情報制御部５４と、を備えている。
装置状態観測部５１は、例えばバッテリ３９における電力量の残量をバッテリ残量情報（装置状態情報）として観測する。装置状態観測部５１は、バッテリ残量情報を記憶部５２に出力する。
【００４４】
記憶部５２は、ＲＡＭやＲＯＭからなり、観測された装置状態情報や歯科診療管理装置１Ｂから受信する装置行動情報等の必要な情報を記憶するものである。記憶部５２には、装置状態情報を取得して歯科診療管理装置１Ｂに送信するための動作プログラムがインストールされている。
通信部５３は、例えばネットワークカード等の所定の通信インタフェースからなり、通信ネットワークを介して歯科診療管理装置１Ｂとの間で装置状態情報を含む情報の送受信を行うものである。
【００４５】
装置状態情報制御部５４は、歯科診療管理装置１Ｂから、歯科診療管理装置１Ｂの装置状態情報の要求があった場合に、応答として、その時点の装置状態情報を歯科診療管理装置１Ｂに送信する制御を行うものである。この装置状態情報制御部５４は、例えば、当該歯科診療装置３Ｂが現在使用状態にあるかという情報や現在の作業の終了予定時刻情報については、記憶部５２に記憶された装置行動情報から取得する。また、装置状態情報制御部５４は、例えば、バッテリ残量情報（診療エネルギ情報）については、装置状態観測部５１で観測されて記憶部５２に記憶された装置行動情報から取得する。なお、装置状態情報制御部５４は、ＣＰＵがＲＯＭ等に格納された所定のプログラムをＲＡＭに展開して実行することによりその機能が実現される。
【００４６】
［歯科診療管理装置］
歯科診療管理装置１Ｂは、図４に示すように、診療情報取得部１０と、装置情報部２０Ｂと、を備えている。
診療情報取得部１０は、予約割込等の際にオペレータによって入力された新規の診療情報を診療情報記憶部２から取得する。診療情報取得部１０は、取得した診療情報を装置情報部２０Ｂに受け渡す。
装置情報部２０Ｂは、装置状態情報取得部２７と、装置状態情報判定部２８と、をさらに備えている点が、第１実施形態の装置情報部２０と相違している。
装置状態情報取得部２７は、歯科診療装置３の現在状態を示す装置状態情報を取得する。装置状態情報取得部２７は、無線によって歯科診療装置３Ｂに通信可能に接続される。
【００４７】
装置状態情報判定部２８は、装置状態情報から当該歯科診療装置３が新規の診療に伴う作業を受け付けて動作できる状態にあるか否かを判定する。具体的には、第１の観点として、装置状態情報判定部２８は、歯科診療装置３Ｂが現在占有されているか否かを判定する。また、第２の観点として、装置状態情報判定部２８は、歯科診療装置３Ｂがたとえ現在占有されていたとしても新規の診療の開始には間に合うか否かを判定する。また、第３の観点として、装置状態情報判定部２８は、診療エネルギ情報が駆動エネルギ情報より大きいか否かを判定する。なお、分岐判定の詳細については後記する動作フローで説明する。そして、新規の診療に伴う作業を受け付けて動作できる状態にある歯科診療装置３に対しては、装置行動情報作成部２１が、装置行動情報を作成する。
【００４８】
次に、本発明の第２実施形態に係る歯科診療管理装置による処理の流れについて図６を参照（適宜図３（ａ）参照）して説明する。なお、図３（ａ）と同じ処理には同じ符号を付している。本実施形態では、まず、予約割込等の際にオペレータが新規の診療情報を診療情報記憶部２に入力する。すると、診療情報取得部１０が当該新規の診療情報を診療情報記憶部２から取得する。すなわち、図６に示すように、歯科診療管理装置１Ｂは、診療内容情報取得部１１によって、診療情報記憶部２から、入力された診療内容情報４を取得すると共に、診療時間情報取得部１２によって、診療情報記憶部２から、入力された診療時間情報５を取得する（ステップＳ１）。つまり、歯科診療管理装置１Ｂは、予約割込等の際に新規に診療情報記憶部２に入力された診療情報を取得する。そして、歯科診療管理装置１Ｂは、装置状態情報取得部２７によって、歯科診療装置３Ｂを選択し（ステップＳ４）、選択した歯科診療装置３Ｂに対して現在状態を示す装置状態情報を要求し、装置状態情報を取得する（ステップＳ５）。
【００４９】
そして、歯科診療管理装置１Ｂの装置状態情報判定部２８は、装置状態情報に基づいて、前記第１の観点として、現在、歯科診療装置３Ｂが占有されているか否かを判定する（ステップＳ６）。歯科診療装置３Ｂがフリーである場合（ステップＳ６においてＮｏ）、装置状態情報判定部２８は、前記第３の観点として、当該歯科診療装置３Ｂには診療に必要なエネルギが十分あるか否かを判定する（ステップＳ７）。すなわち、診療エネルギ情報が駆動エネルギ情報より大きいか否かを判定する。診療エネルギが十分にある場合（ステップＳ７においてＹｅｓ）、歯科診療管理装置１Ｂは、装置行動情報作成部２１によって、診療情報から装置行動情報を作成する（ステップＳ２）。そして、歯科診療管理装置１Ｂは、装置行動情報出力部２２によって、歯科診療装置３Ｂに対して装置行動情報を出力し（ステップＳ３）、処理を終了する。
【００５０】
また、前記したステップＳ６において歯科診療装置３Ｂが占有されている場合（ステップＳ６においてＹｅｓ）、装置状態情報判定部２８は、前記第２の観点として、当該歯科診療装置３Ｂの終了予定時間が、ステップＳ１で入力された診療時間情報５で示される開始時間を過ぎるか否かを判定する（ステップＳ８）。すなわち、歯科診療装置３Ｂがたとえ現在占有されていたとしても新規の診療の開始には間に合うか否かを判定する。当該歯科診療装置３Ｂの作業の終了予定時間が開始時間より前である場合（ステップＳ８においてＮｏ）、すなわち間に合う場合、装置状態情報判定部２８は、前記第３の観点の判定を行うためにステップＳ７に戻る。
【００５１】
また、前記したステップＳ７において歯科診療装置３Ｂのエネルギが不足している場合（ステップＳ７においてＮｏ）、または、前記したステップＳ８において歯科診療装置３Ｂの終了予定時間が開始時間を過ぎる場合（ステップＳ８においてＹｅｓ）、歯科診療管理装置１Ｂは、装置状態情報取得部２７によって、他の歯科診療装置３Ｂが存在するか否かを判定する（ステップＳ９）。他の歯科診療装置３Ｂが存在する場合（ステップＳ９においてＹｅｓ）、装置状態情報取得部２７はステップＳ４に戻る。一方、他の歯科診療装置３Ｂが存在しない場合（ステップＳ９においてＮｏ）、歯科診療管理装置１Ｂは、処理を終了する。
なお、歯科診療管理装置１Ｂは、診療終了後には、第１実施形態の歯科診療管理装置１と同様に、図３（ｃ）に示す処理を行うことで、歯科診療装置３Ｂから取得する装置実作業情報を装置実作業情報記憶部２５へ出力することができる。
【００５２】
次に、図７を参照（適宜図６参照）して、３台の歯科診療装置３Ｂが存在する場合につて歯科診療管理装置１Ｂの処理の具体例を説明する。なお、３台の歯科診療装置３Ｂを、例えば優先度の高い順に歯科診療装置３ｃ、３ａ、３ｂと表記する。
歯科診療管理装置１Ｂは、予約割込等の際に、例えば図７に示す歯科診療装置３ｃ、３ａ、３ｂへの問い合わせを順次行う。問い合わせの結果、歯科診療装置３ｃが現在占有され（ステップＳ６：Ｙｅｓ）、かつ、新規の診療の開始には間に合わない場合（ステップＳ８：Ｙｅｓ）、歯科診療管理装置１Ｂは、歯科診療装置３ｃの装置行動情報を作成することなく、他の歯科診療装置３ａを選択する（ステップＳ９：Ｙｅｓ）。また、問い合わせの結果、歯科診療装置３ａがフリーであり（ステップＳ６：Ｎｏ）、かつ、バッテリ残量が少なく診療エネルギが不足する場合（ステップＳ７：Ｎｏ）、歯科診療管理装置１Ｂは、歯科診療装置３ａの装置行動情報を作成することなく、他の歯科診療装置３ｂを選択する（ステップＳ９：Ｙｅｓ）。さらに、問い合わせの結果、歯科診療装置３ｂが現在フリーであり（ステップＳ６：Ｎｏ）、バッテリ残量に問題なく診療エネルギが十分にある場合（ステップＳ７：Ｙｅｓ）、歯科診療管理装置１Ｂは、歯科診療装置３ｂの装置行動情報を作成して、当該歯科診療装置３ｂに送信する。
【００５３】
以上説明したように、第２実施形態の歯科診療管理装置１Ｂによれば、情報入力を行うオペレータに負担を与えることなく歯科診療装置３Ｂの使用状況を適切に管理することができる。
【００５４】
本発明は前記した各実施形態に限定されるものではなく、種々の変形が可能である。例えば、歯科診療管理装置１，１Ｂによって管理する歯科診療装置３，３Ｂは、歯科医院内で使用される形態に限られるものではなく、訪問先での移動診療時に使用される形態であってもよい。訪問診療の現場としては、例えば患者の自宅、被災地の避難施設、病院、看護施設等を挙げることができる。そして、訪問先での移動診療時に使用される歯科診療装置は、移動手段が必須ではなく、例えば、装着型歯科診療装置（例えば、特許第６３８３４６６号公報参照）や可搬式歯科診療装置であってもよい。
【００５５】
また、歯科診療管理装置１，１Ｂによって管理する歯科診療装置３，３Ｂは、１歯科医院で使用される形態に限られるものではなく、複数の歯科医院が協力して使用する形態や、複数の歯科医院が加盟する歯科医師会や行政単位において共同で使用する形態であってもよい。また、歯科診療装置３，３Ｂは、歯科医院等による所有の態様に限らずレンタルの態様であっても構わない。歯科診療装置３，３Ｂは自走式に限らず、移動手段３３は、手動のキャリーカートでもよい。
【符号の説明】
【００５６】
１００，１００Ｂ歯科診療システム
１，１Ｂ    歯科診療管理装置
２      診療情報記憶部
３，３Ｂ，３ａ，３ｂ，３ｃ  歯科診療装置
４      診療内容情報
５      診療時間情報
１０    診療情報取得部
１１    診療内容情報取得部
１２    診療時間情報取得部
２０，２０Ｂ  装置情報部
２１    装置行動情報作成部
２２    装置行動情報出力部
２３    装置実作業情報取得部
２４    装置実作業情報作成部
２５    装置実作業情報記憶部
２６    装置実作業情報出力部
２７    装置状態情報取得部
２８    装置状態情報判定部
【図１】
2020086777.tif 000003
【図２】
2020086777.tif 000004
【図３】
2020086777.tif 000005
【図４】
2020086777.tif 000006
【図５】
2020086777.tif 000007
【図６】
2020086777.tif 000008
【図７】
2020086777.tif 000009